(57)【要約】  【課題】  簡単な操作でショートカット処理を実現しながらも、ショートカットキーを表示することなく多種類のショートカット処理が実現できる操作入力装置を提供する。  【解決手段】  複数のメニューキーを表示する表示部と、表示部上に配置され各メニューキーに対する操作を検出するタッチパネルと、表示部に上位から下位へ階層的にメニュー画面を更新表示する表示処理部と、所定の操作に基づいて特定階層のメニュー画面を表示するショートカット処理部を備えて構成される操作入力装置であって、ショートカット処理部は、タッチパネルを介して描画された図形を認識して特定階層のメニュー画面と関連付けて登録する図形登録部と、描画された図形と前記図形登録部に登録された図形との異同を識別する図形識別部と、図形識別部で同一図形と識別されたときにその図形と関連付けられたメニュー画面を表示するショートカット表示処理部を備えて構成される。  【選択図】  図５
2006309478.tif 000002
【特許請求の範囲】
【請求項１】
複数のメニューキーを表示する表示部と、前記表示部上に配置され各メニューキーに対する操作を検出するタッチパネルと、前記メニューキーに対する操作に伴って前記表示部に上位から下位へ階層的にメニュー画面を更新表示する表示処理部と、所定の操作に基づいて特定階層のメニュー画面を表示するショートカット処理部を備えて構成される操作入力装置であって、
前記ショートカット処理部は、前記タッチパネルを介して描画された図形を認識して特定階層のメニュー画面と関連付けて登録する図形登録部と、描画された図形と前記図形登録部に登録された図形との異同を識別する図形識別部と、前記図形識別部で同一図形と識別されたときにその図形と関連付けられたメニュー画面を表示するショートカット表示処理部を備えて構成される操作入力装置。
【請求項２】
操作者個人または所属部門を認識する操作者認識部を備え、前記図形登録部は認識された操作者毎に図形登録し、前記図形認識部は認識された操作者毎に前記図形登録部に登録された図形との異同を識別する請求項１記載の操作入力装置。
【請求項３】
前記図形登録部に登録された個々の図形をショートカットキーとして表示するショートカットキー表示処理部を備え、前記ショートカット表示処理部は表示されたショートカットキーの操作に基づいてその図形と関連付けられたメニュー画面を表示する請求項１または２記載の操作入力装置。
【請求項４】
前記図形登録部及び前記図形識別部は前記タッチパネルを所定サイズの格子に領域分割して押圧操作された格子の軌跡に基づいて描画された図形を認識し、前記図形識別部は認識された図形の幾何学的特徴に基づいて登録された図形との異同を識別する請求項１から３の何れかに記載の操作入力装置。
【請求項５】
領域分割する格子サイズを可変に設定する格子サイズ設定部を備え、前記図形登録部及び前記図形識別部は設定された格子サイズに基づいて描画図形を認識する請求項４記載の操作入力装置。
【請求項６】
描画された図形の軌跡を前記表示部に表示する図形表示処理部を備えている請求項１から５の何れかに記載の操作入力装置。
【請求項７】
何れの階層のメニュー画面から描画された図形に対しても、前記図形識別部は描画された図形と前記図形登録部に登録された図形との異同を識別し、前記ショートカット表示処理部は前記図形識別部で同一図形と識別されたときにその図形と関連付けられたメニュー画面を表示する請求項１から６の何れかに記載の操作入力装置。
【発明の詳細な説明】
【技術分野】
【０００１】
本発明は、複数のメニューキーを表示する表示部と、前記表示部上に配置され各メニューキーに対する操作を検出するタッチパネルと、前記メニューキーに対する操作に伴って前記表示部に上位から下位へ階層的にメニュー画面を更新表示する表示処理部と、所定の操作に基づいて特定階層のメニュー画面を表示するショートカット処理部を備えて構成される操作入力装置に関する。
【背景技術】
【０００２】
上述の操作入力装置は、例えば複写機等の画像形成装置に設けられ、タッチパネルが押圧操作されると、その操作位置に対応するメニューキーが選択されたと認識する入力処理部を設けて構成されているが、近年、画像形成装置の高機能化に伴い表示部に非常に多くのメニューキーが配列表示され、所望のメニューの選択操作が非常に煩雑となっている。そのため、複数のメニューキーを機能単位分割し、各機能を設定するための複数のメニューキーを操作手順に従って上位から下位の表示階層に分割して表示する表示処理部を備え、複雑な機能の設定が容易に行なわれるように構成されている。
【０００３】
さらに、複写機を使用する度にそのような手順を踏んだ操作を繰り返すことの手間を解消すべく、操作入力装置に設けられる記憶部に頻繁に選択するメニュー画面と所定のショートカットキーとを関連付けて記憶し、表示部に表示されたショートカットキーの押圧操作により記憶部に記憶されているメニュー画面を読み出して対応するメニュー画面が直ちに表示されるショートカット処理部を備えた操作入力装置が提案されている。
【特許文献１】特開２００４−２９０４９２号公報
【発明の開示】
【発明が解決しようとする課題】
【０００４】
しかし、上述した従来の操作入力装置では、登録すべきメニューの増加に対応してショートカットキーが増加することとなり、面積の限られた表示部に多くのショートカットキーを表示することが困難なために、登録可能なメニューも制限されるという不都合があった。
【０００５】
そこで、ショートカットキーを表示する専用の表示階層を設けて多数のショートカットキーを表示することも考えられるが、この場合、当該専用の表示階層に遷移させるためのメニューキーの表示及びその操作が必要となり、操作回数が増すばかりか、複数のオペレータにより個々に設定登録される可能性のある多数のショートカットキーがどのようなメニュー画面に対応しているのかの識別が煩雑となり、却って使用し辛くなるという問題もある。
【０００６】
同様の問題は画像形成装置に設けられた操作入力装置に限るものではなく、多数のメニューを選択操作する必要のある操作入力装置一般に共通の課題である。
【０００７】
本発明は、上述した従来欠点に鑑み、簡単な操作でショートカット処理を実現しながらも、ショートカットキーを表示することなく多種類のショートカット処理が実現できる操作入力装置を提供することを目的とする。
【課題を解決するための手段】
【０００８】
上述の目的を達成するため、本発明による画像形成装置の第一の特徴構成は、特許請求の範囲の書類の請求項１に記載した通り、複数のメニューキーを表示する表示部と、表示部上に配置され各メニューキーに対する操作を検出するタッチパネルと、メニューキーに対する操作に伴って表示部に上位から下位へ階層的にメニュー画面を更新表示する表示処理部と、所定の操作に基づいて特定階層のメニュー画面を表示するショートカット処理部を備えて構成される操作入力装置であって、ショートカット処理部は、タッチパネルを介して描画された図形を認識して特定階層のメニュー画面と関連付けて登録する図形登録部と、描画された図形と図形登録部に登録された図形との異同を識別する図形識別部と、図形識別部で同一図形と識別されたときにその図形と関連付けられたメニュー画面を表示するショートカット表示処理部を備えて構成してある点にある。
【０００９】
上述の構成によれば、操作者がタッチパネルを介して図形を描画すると、図形識別部により図形登録部に登録されている図形から描画された図形とマッチする登録図形が識別され、ショートカット表示処理部によって当該図形と関連付けられた特定階層のメニュー画面が表示されるようになるので、表示部にショートカットキーを表示しなくとも所望のメニュー画面に移行できるショートカット処理が実現できるようになるのである。従って、表示面積の限られた表示部であっても、図形登録部に登録可能な図形の数に対応した数のショートカット処理が可能となり、しかも図形を描画入力するという簡単な操作でショートカット処理を実行することができるようになり、より使い勝手のよい操作入力装置を提供できるようになるのである。
【００１０】
同第二の特徴構成は、同請求項２に記載した通り、上述の第一の特徴構成に加えて、操作者個人または所属部門を認識する操作者認識部を備え、図形登録部は認識された操作者毎に図形登録し、図形認識部は認識された操作者毎に図形登録部に登録された図形との異同を識別する点にある。
【００１１】
上述の構成によれば、図形登録部は操作者認識部により認識された操作者毎に図形登録することによって、同一の図形であっても操作者毎に異なるメニュー画面を関連付けて登録することができ、操作者の数に対応してショートカット処理の数を増加させることができるようになる。その結果、各操作者は事前に登録された他人の描画図形を意識することなく独自のショートカットメニューを登録でき、一層利便性を向上させることができる。
【００１２】
同第三の特徴構成は、同請求項３に記載した通り、上述の第一または第二の特徴構成に加えて、図形登録部に登録された個々の図形をショートカットキーとして表示するショートカットキー表示処理部を備え、ショートカット表示処理部は表示されたショートカットキーの操作に基づいてその図形と関連付けられたメニュー画面を表示する点にある。
【００１３】
上述の構成によれば、ショートカットキー表示処理部によって個々の図形がショートカットキーとして表示されるので、操作者は表示されたショートカットキーの図形を目視確認した上で、所望のショートカットキーを迷うことなく確実に選択操作することができるようになるのである。
【００１４】
同第四の特徴構成は、同請求項４に記載した通り、上述の第一から第三のいずれかの特徴構成に加えて、図形登録部及び図形識別部はタッチパネルを所定サイズの格子に領域分割して押圧操作された格子の軌跡に基づいて描画された図形を認識し、図形識別部は認識された図形の幾何学的特徴に基づいて登録された図形との異同を識別する点にある。
【００１５】
上述の構成によれば、図形登録部及び図形識別部は描画された図形を認識するに際して、領域分割されたタッチパネルの格子の中で押圧された格子によって形成される形状に基づいて描画図形を認識するので、格子サイズを適切に設定することにより描画図形の幾何学的特徴を適切に抽出することができるようになるのであり、図形認識部は認識された図形の幾何学的特徴に基づいて登録された図形との異同を容易に識別することができるようになるのである。
【００１６】
同第五の特徴構成は、同請求項５に記載した通り、上述の第四の特徴構成に加えて、領域分割する格子サイズを可変に設定する格子サイズ設定部を備え、図形登録部及び図形識別部は設定された格子サイズに基づいて描画図形を認識する点にある。
【００１７】
上述の構成によれば、タッチパネルを領域分割する格子サイズを変更することにより、図形登録部及び図形認識部が描画図形を認識する精度が変更され、格子サイズを大きく設定する場合には描画図形を認識する精度が低くなり登録可能な図形の数が少なくなるものの、図形識別部での図形の識別速度が速くなり、格子サイズを小さく設定する場合には図形識別部での図形の識別速度が遅くなるものの、描画図形を認識する精度が高くなり登録可能な図形の数が多くなる。従って、使用環境に応じて適切な格子サイズを選択できるという自由度が増すのである。
【００１８】
同第六の特徴構成は、同請求項６に記載した通り、上述の第一から第五の何れかの特徴構成に加えて、描画された図形の軌跡を表示部に表示する図形表示処理部を備える点にある。
【００１９】
上述の構成によれば、操作者が描画した図形の軌跡が表示部に表示されるので、操作者が自らの描画した図形を容易に認識することができるのであり、仮に誤入力があった場合でも適切に対処できるようになるのである。
【００２０】
同第七の特徴構成は、同請求項７に記載した通り、上述の第一から第六の何れかの特徴構成に加えて、何れの階層のメニュー画面から描画された図形に対しても、前記図形識別部は描画された図形と前記図形登録部に登録された図形との異同を識別し、前記ショートカット表示処理部は前記図形識別部で同一図形と識別されたときにその図形と関連付けられたメニュー画面を表示する点にある。
【００２１】
上述の構成によれば、何れの階層のメニュー画面が表示される場合であっても、操作者は表示階層を意識することなく所望のショートカットメニューに移行できるようになるのであり、より操作性を向上させることができるのである。
【発明の効果】
【００２２】
以上説明した通り、本発明によれば、簡単な操作でショートカット処理を実現しながらも、ショートカットキーを表示することなく多種類のショートカット処理が実現できる操作入力装置を提供することができるようになった。
【発明を実施するための最良の形態】
【００２３】
以下に本発明による操作入力装置をデジタル複写機の操作部に適用した場合の実施形態について説明する。
【００２４】
図１に示すように、デジタル複写機１は各種の複写メニューを設定する複数の複写メニュー設定キーや設定された複写メニューで複写動作を起動するスタートキー等が配置された操作部２と、原稿載置部３にセットされた一連の原稿を順次読込んで電子データに変換する画像読取部４と、画像読取部４によって電子データに変換された画像データに基づいて用紙上にトナー像を形成して出力する電子写真方式の画像形成部５と、それぞれ異なるサイズまたは種類の用紙が収容された複数の給紙カセット６（６ａ〜６ｄ）及び機械左側部に設けられた手差し給紙口（図示せず）を備えて構成されている。
【００２５】
前記操作部２は、画像読取部４の手前側に配置され、図２に示すように、中央部に配置され、複数のメニューキーが表示される表示部である液晶表示部２０と、前記液晶表示部２０の右側に配置され、コピー枚数等を設定する数値入力キー２１、スタートキー２２、ストップ／クリアキー２３等の複写動作の基本制御キー群と、原稿から読取った画像を用紙に出力するコピーモード、ネットワークに接続されたコンピュータ等からの出力データを用紙に印字出力するプリンタモード、原稿情報を読込みネットワーク出力するスキャナモードの何れのモードで動作するのかを選択するモード選択キー及び選択されたモードをＬＥＤ表示するモード選択部２４と、前記液晶表示部２０の右方上部に設置される特殊モード設定キー２５等を備えて構成される。
【００２６】
前記液晶表示部２０は、上部にデジタル複写機１の状態や操作メッセージを表示するメッセージ表示領域２０１を備え、前記メッセージ表示領域２０１の下方にメニュー設定キー領域２０２を備えている。前記メニュー設定キー領域２０２には、用紙サイズ、コピー倍率、コピー濃度、ソート等の基本的な複写メニューを設定するための基本モード設定タブ２０４と、頻繁に使用するメニューをユーザ側で個別に設定登録可能なユーザ機能タブ２０５と、当該デジタル複写機１に準備されている複数の応用機能を選択するための複数のメニューキーが表示される機能リストタブ２０６と、特定のメニュー画面にショートカットするためのショートカット操作を登録するプログラムタブ２０７とが設けられている。
【００２７】
図４に示すように、前記操作部２には、各種の入力キーに対する押圧操作を検出してそれに対応して表示出力する操作制御部２７を備えている。前記操作制御部２７は、所定の制御プログラムに基づいて液晶表示部２０や各種のＬＥＤを表示制御するＣＰＵ２７１と、その制御プログラムが格納されるＲＯＭ２７２と、ワーキングエリア等に使用されるＲＡＭ２７３と、前記液晶表示部２０への表示データを展開するＶＲＡＭ２７４と、ＶＲＡＭ２７４の表示データに基づいて液晶表示部２０を駆動する液晶ドライバ２７５と、操作者により押圧操作された液晶表示部２０の位置を検出する位置検出部２７６と、スタートキー２２や数値入力キー２１等の操作信号を入力する入力バッファ回路２７７と、前記入力バッファ回路２７７等とＣＰＵ２７１との間に設けられる入出力ポート２７８等を備えて構成され、前記ＣＰＵ２７１は複写動作を制御する本体制御部１０と通信ラインを介して接続されている。
【００２８】
前記液晶表示部２０の上面には、表示されている各メニューキーに対する操作を検出する透明電極群でなるタッチパネルが設けられている。図３（ａ）、（ｂ）に示すように、前記タッチパネル２６は、前記液晶表示部２０の上部ガラス板２６１を基部として、当該ガラス板２６１の上面に設置される複数本の下部透明電極２６２と、下部透明電極２６２の上面に一定間隔毎に設置される絶縁体のドットスペーサ２６３と、ドットスペーサ２６３を挟んで下部透明電極２６２に対向して直交設置される複数本の上部透明電極２６４と、上部透明電極２６４の上面に設置されるＰＥＴフィルム２６５とを備えて構成され、操作者による押圧操作により接触導通する電極位置が後述の位置検出部により押圧操作位置として検出されるように構成されている。
【００２９】
詳述すると、操作者によりタッチパネル２６が押圧操作されると、前記位置検出部２７６で検出された位置情報が入出力ポート２７８を介してＣＰＵ２７１に入力され、ＣＰＵ２７１によりＶＲＡＭ２７４に展開されている表示データに基づいてどのメニューキー２０３が選択されたかが判断される。前記ＣＰＵ２７１が、押圧操作されたメニューキーに対応する表示画面を前記制御プログラムに基づいてＶＲＡＭ２７４に展開することにより前記液晶表示部２０の表示画面が更新表示されるように構成されている。
【００３０】
例えば、操作者により「Ａ４普通紙」のメニューキー２０３（図２参照）が押圧操作されると液晶表示部２０に「Ａ４普通紙」のメニューキー２０３エリアをネガ／ポジ反転表示することにより選択されたメニューが目視確認できるように処理される。また、操作者により「縮小／拡大」のメニューキーが押圧操作されると、図示しないが、基本モード設定タブ２０４に拡大倍率または縮小倍率を設定する複数の倍率設定用のメニューキーが表示され、適切な倍率が選択可能な下位の階層の表示画面に更新表示される。
【００３１】
また、前記機能リストタブ２０６が選択操作されると、図５に示すように、複数の応用機能を選択するための複数のメニューキーが表示され、例えば、「集約」メニューが押圧操作されると、図６（ａ）に示すように、デフォルト値として選択されている「設定なし」状態と、２枚の原稿を１枚に縮小コピーする「２  ｉｎ  １」と、４枚の原稿を１枚に縮小コピーする「４  ｉｎ  １」の３種類のキーの選択画面に遷移する。ここでは、現在設定されているモード（「設定なし」状態）がネガ／ポジ反転して表示されており、「２  ｉｎ  １」キーが選択されると、図６（ｂ）に示すように、その出力形態を詳細に設定する画面に遷移し、レイアウト、ページ区切り、原稿セット向きのそれぞれが選択操作可能になる。使用者の意図に沿った設定が完了したところで「登録」キーが操作されると設定が完了し、「閉じる」キーが操作されると図５の画面に戻る。「４  ｉｎ  １」キーが操作されると、上述と同様に、図６（ｃ）に示す画面に遷移して詳細な出力形態の設定画面に遷移する。
【００３２】
このように、前記操作部２は、各メニューキーに対する操作に伴って前記液晶表示部２０に上位から下位へ階層的にメニュー画面が更新表示され、複雑なメニューキーの設定操作が容易に行なわれるように構成されているが、頻繁に選択されるメニュー画面であっても上位階層から下位階層に順番にメニューキーを選択操作しなければならないという煩雑さを解消すべく、所定の操作に基づいて特定階層のメニュー画面を直ちに表示するショートカット処理部を備えており、以下にショートカット処理部について詳述する。
【００３３】
前記操作制御部２７のＣＰＵ２７１により具現化される主な機能を機能ブロックで示すと、図７に示すように、前記液晶表示部２０に上位から下位へ階層的にメニュー画面を更新表示する表示処理部２８と、所定の操作に基づいて特定階層のメニュー画面を表示するショートカット処理部２９と、認証された個人または所属部門のみ使用が許容される操作者認識部３０等を備えて構成されている。
【００３４】
操作者認識部３０は、予め前記数値入力キー２１や前記タッチパネル２６等を介して入力された操作者個人または操作者の所属部門のＩＤ及びパスワードを記憶する認証データ記憶部と、操作者により入力されたＩＤ及びパスワードが前記認証データ記憶部に記憶された認証データと一致するか否かを照合する照合部と、前記照合部で認証データと一致すると判別されたときに前記操作部２の操作を許容する認証部を備えて構成され、認証されない第三者の使用が排除されるように構成されている。
【００３５】
前記ショートカット処理部２９は、前記タッチパネル２６を介して描画された図形の軌跡を前記液晶表示部２０に表示する図形表示処理部２９５と、描画された図形を前記操作者認識部３０で認識された操作者毎に特定階層のメニュー画面と関連付けて登録する図形登録部２９１と、描画された図形と図形登録部２９１に登録された図形との異同を認識された操作者毎に識別する図形識別部２９２と、図形識別部２９２で同一図形と識別されたときにその図形と関連付けられたメニュー画面を表示するショートカット表示処理部２９３と、前記位置検出部により検出される前記下部透明電極２６２と上部透明電極２６４の対向部位である基準格子点に対して当該基準格子点とそれに隣接する複数の基準格子点で構成される格子点群で区画される領域を格子サイズとして領域分割する格子サイズ設定部２９４を備えている。
【００３６】
前記図形登録部２９１及び前記図形識別部２９２は、前記格子サイズ設定部２９４により設定された格子を描画された図形の単位画素として認識し、押圧操作された格子の軌跡に基づいて描画された図形を認識するように構成されている。ここでは、図８（ａ）、（ｂ）に示すように、前記格子サイズ設定部２９４により大小二段階に格子サイズが切替設定可能に構成され、格子サイズを大きく設定する場合には描画図形を認識する精度が低くなり登録可能な図形の数が少なくなるものの、前記図形識別部２９２での図形の識別速度が速くなり、格子サイズを小さく設定する場合には前記図形識別部２９２での図形の識別速度が遅くなるものの、描画図形を認識する精度が高くなり登録可能な図形の数が多くなるように設定されている。
【００３７】
例えば、操作者が描画図形として「△」を入力する場合には、図９（ａ）、（ｂ）に示すように、タッチパネル２６上の中央上部から左下部に斜辺が描かれ、その地点から右方に底辺が描かれ、さらに中央上部の頂点に向けて残りの斜辺が描かれる。前記図形登録部２９１は、設定された格子を単位として押圧操作により描かれた図形の軌跡を各格子に対する押圧操作の時間履歴に基づいて認識する。描画される図形は一筆書きのような一動作で描かれる幾何学的図形が好ましいが、例えば「×」のような複数画の図形であってもよい。ここで、前記図形登録部２９１及び図形認識部２９２は、描画された図形が所定の入力制限条件を具備するときに限り図形が描画されたと判断し、前記入力制限条件を具備しないときには図形が描画されたと判断しないように構成されている。当該入力制限条件として、複数の格子点を通らない図形、所定数の格子点を通らない図形、塗りつぶし図形、離間する複数の格子が同時に押圧操作された図形等が設定されているが、これら以外にも設定することは可能である。
【００３８】
また、前記図形登録部２９１及び前記図形認識部２９２は、描画された図形の一部が格子の境界部を含み認識される図形が全体として不明瞭になるような場合には、明確な図形となるように認識した図形を平行移動させた後に確定する。平行移動の条件として、例えば描画された図形の占める格子点の数が最小となるように平行移動させるものが適用される。例えば、図９（ｃ）に示すように、「Ｎ」の文字が描画されたときに、図９（ｄ）に示すように、平行移動させることにより、よりすっきりとした図形として認識可能になる。
【００３９】
前記図形識別部２９２は、操作者により描画された図形が前記図形登録部２９１に登録されている図形と同一であるか否かを認識された図形の幾何学的特徴に基づいて識別する。例えば、閉じた図形であるか開いた図形であるか、角部がどの位置にあるか、直線か曲線か等、両図形が備える特徴的な部位を抽出して対比するのである。さらに図形を拡大または縮小処理して両図形の格子配列が一致するか、格子配列の相違が予め設定された誤差範囲内であるかに基づいて判断してもよい。さらにまた、図形を構成する複数の格子の位相幾何学的な特徴が一致するか否かを判断するように構成してもよい。
【００４０】
以下に、操作者の描画する図形と特定階層のメニュー画面とを関連付けて登録する登録処理を、図１０に示すフローチャートに基づいて説明する。
【００４１】
操作者によるメニューキーの選択操作によって前記表示処理部２８により所定階層のメニュー画面が表示されている状態で（Ｓ１）、前記プログラムタブ２０７が選択操作されると、図１１に示すように、図形登録画面が表示される（Ｓ２）。前記液晶表示部２０に表示された「格子サイズを設定してください。」とのメッセージ（図示せず）に従って、前記格子サイズ設定部２９４により設定される格子サイズを選択するための「格子サイズ大」と「格子サイズ小」の二つの格子サイズ選択メニューキーの何れかを選択することにより格子サイズが設定され、設定された格子が表示される（Ｓ３）。
【００４２】
前記液晶表示部２０に表示された「登録図形を入力してください。」とのメッセージに従って操作者が前記タッチパネル２６上で指または筆記具等の指示具を用いて描画を開始すると、描画された図形の軌跡が図形表示処理部３３によって液晶表示部２０に表示される（Ｓ４）。描画が終了して登録キーが押圧操作されると前記図形登録部２９１により上述した所定の入力制限条件を具備しているか否かが判断され（Ｓ５）、入力制限条件を具備していない場合には再入力を要請するメッセージが表示されて再入力が促され（Ｓ６）、入力制限条件を具備しているときには描画された図形が前記図形登録部２９１に既に登録されている図形と同一であるか否かが判断され（Ｓ７）、同一であるときには液晶表示部２０に「既に登録された図形です。もう一度登録図形を入力してください。」との再入力を要請するメッセージが表示されて再入力が促され（Ｓ８）、描画された図形が登録されている図形と異なると判断されると上述の所定階層のメニュー画面と操作者のＩＤと描画された図形とそのときの格子サイズが関連付けられて登録される（Ｓ９）。その後「終了」キーが押圧操作されると上述の所定階層のメニュー画面に表示が切り替えられる。
【００４３】
次に、上述の登録処理により登録されたメニュー画面を液晶表示部２０に表示させるショートカット表示処理を、図１２に示すフローチャートに基づいて説明する。
【００４４】
前記図形認識部２９２は、前記液晶表示部２０に何れの階層のメニュー画面が表示されている場合であっても操作者により描画される図形が認識可能な状態で待機している。操作者により前記タッチパネル２６上に図形が描画されると、前記図形認識部２９２は、隣接する複数の格子が連続的に押圧操作されることを以って図形が描画されていると判断して図形認識モードに入る（Ｓ１１）。従って、このとき前記表示処理部２８は、たとえメニューキー領域が押圧されていてもメニューキーの選択操作とは認識しないように判断するように構成されている。前記図形表示処理部３３によって押圧操作された格子の軌跡が液晶表示部２０に表示され（Ｓ１２）、前記図形認識部２９２により図形が認識されると（Ｓ１３）、描画された図形と前記図形登録部２９１に登録された複数の図形との異同が識別される（Ｓ１４）。このとき、先ず格子サイズが大に設定された登録図形と照合され、次に格子サイズが小に設定された登録図形と照合される。描画された図形と事前に登録された何れの図形とも異なる図形であると識別された場合には、液晶表示部２０に再入力を要請するメッセージが表示され再度の入力が促される（Ｓ１６）。前記図形認識部２９２により描画された図形と事前に登録された何れかの図形が同一図形であると識別された場合には、登録された図形と関連付けられた所定階層のメニュー画面が表示される（Ｓ１５）。
【００４５】
以下に別実施形態を説明する。上述の実施形態では、操作者認識部３０が操作者の入力するＩＤとパスワードとを用いて操作者個人または操作者の所属部門を認識するものを説明したが、これに代えて、指紋、虹彩、網膜等を用いて個人を認識するバイオメトリック認証装置を用いた構成としてもよい。
【００４６】
上述の実施形態では、図形登録部２９１で図形を登録する際に格子サイズの設定を行なうものを説明したが、格子サイズの設定は予め管理者等により別のメニュー画面で設定されるものであってもよい。
【００４７】
上述の実施形態では、図形登録部２９１により登録される図形と操作者認識部３０で認識される操作者とが関連付けられて登録されるものを説明したが、操作者認識部３０を備えていないものでは、操作者に無関係に図形が登録されるように構成可能である。
【００４８】
上述の実施形態に加えて、図１３に示すように、操作パネル部２が図形登録部２９１に登録された個々の図形をショートカットキー３１０として表示するシートカットキー表示処理部を備え、ショートカット表示処理部２９３は表示されたショートカットキー３１０の操作に基づいてその図形と関連付けられたメニュー画面を表示するように構成してもよい。
【００４９】
尚、上述した実施形態は、本発明の一例に過ぎず、本発明の作用効果を奏する範囲において各ブロックの具体的構成等を適宜変更設計できることはいうまでもない。
【図面の簡単な説明】
【００５０】
【図１】本発明が適用される第一の実施形態のデジタル複写機の外観図。
【図２】操作部の外観図。
【図３】タッチパネルの断面図。
【図４】操作制御部の回路図。
【図５】機能リストが表示される液晶表示部の外観図。
【図６】（ａ）「集約」メニューが押された時の液晶表示部の外観図、（ｂ）は「２  ｉｎ  １」キーが選択された時の液晶表示部の外観図、（ｃ）は「４  ｉｎ  １」キーが押された時の液晶表示部の外観図。
【図７】操作制御部の機能ブロック図。
【図８】（ａ）は格子サイズ小が選択された時の格子を示す液晶表示部の表示画面図、（ｂ）は格子サイズ大が選択された時の格子を示す液晶表示部の表示画面図。
【図９】（ａ）は格子サイズが小に設定される際に「△」が入力される場合の液晶表示部の外観図、（ｂ）格子サイズが大に設定される際に「△」が入力される場合の液晶表示部の外観図、（ｃ）格子サイズが大に設定される際に「Ｎ」が入力される場合の液晶表示部の外観図、（ｄ）描画された「Ｎ」が平行移動されることを示す説明図。
【図１０】登録処理を示すフローチャート。
【図１１】図形登録画面が表示される操作部の外観図。
【図１２】ショートカット表示処理を示すフローチャート。
【図１３】本発明が適用される他の実施形態の操作部の外観図。
【符号の説明】
【００５１】
２：操作パネル部（操作入力装置）
２０：液晶表示部（表示部）
２６：タッチパネル
２８：表示処理部
２９：ショートカット処理部
３０：操作者認識部
３２：格子サイズ設定部
３３：図形表示処理部
２０３：メニューキー
２９１：図形登録部
２９２：図形認識部
２９３：ショートカット表示処理部
３１０：ショートカットキー
【図１】
2006309478.tif 000003
【図３】
2006309478.tif 000004
【図４】
2006309478.tif 000005
【図７】
2006309478.tif 000006
【図８】
2006309478.tif 000007
【図１０】
2006309478.tif 000008
【図１２】
2006309478.tif 000009
【図２】
2006309478.tif 000010
【図５】
2006309478.tif 000011
【図６】
2006309478.tif 000012
【図９】
2006309478.tif 000013
【図１１】
2006309478.tif 000014
【図１３】
2006309478.tif 000015